(57)【特許請求の範囲】
【請求項１】
データの通信を多ビット長の１データで通信し、かつＸ方向の移動量データとＹ方向の移動量データを、それぞれＮ＋Ｍ＜８となるようなＮビットの移動量データとＭビットの倍率データで構成し通信するワイヤレスポインティングデバイス。
【発明の詳細な説明】
【０００１】
【発明の属する技術分野】
本発明はパーソナルコンピュータなどに使用されるワイヤレスポインティングデバイスに関するものである。
【０００２】
【従来の技術】
図３は従来のワイヤレスポインティングデバイスの概略を示す構成図で、コンピュータ本体１はワイヤレスポインティングデバイス２から通信されるワイヤレス信号３を受信し動作する。
【０００３】
ワイヤレス信号３は１ビットのスタートビット４、２ビットのオーバーフロービット５、２ビットの方向ビット６、１ビットの固定ビット７、３ビットのスイッチビット８、８ビットのＸ方向の移動量データ９、８ビットのＹ方向の移動量データ１０、１ビットのパリティービット１１、１ビットのストップビット１２で構成され、平均的に３０ｍＳ間隔のレートで通信されている。
【０００４】
【発明が解決しようとする課題】
ワイヤレスポインティングデバイス２のデータは、用途上、表示装置ＣＲＴ上になめらかなポインター（カーソル）の動きを実現するために平均的に３０ｍＳ間隔で通信を行っており、通信の高速性が要求される。
【０００５】
また１つのワイヤレス信号３は通常２７ビットの情報を含むため、通信する情報量が多くワイヤレス化した場合、電池寿命の短いものになってしまうという課題があった。
【０００６】
【課題を解決するための手段】
この課題を解決するために本発明は、Ｘ方向、及びＹ方向の移動量を示すデータ９および１０をＮ＋Ｍ＜８となるＮビットの移動量データとＭビットの倍率データで構成することによって１データにつき（８−Ｎ−Ｍ）×２ビットの長さを短縮して通信するようにしたものである。
【０００７】
これによって（８−Ｎ−Ｍ）×２ビット分、１データの長さを短くし、電池寿命を延ばすことができるようにしたものである。
【０００８】
【発明の実施の形態】
本発明の請求項１に記載の発明は、データの通信を多ビット長の１データで通信し、かつＸ方向の移動量データとＹ方向の移動量データを、それぞれＮ＋Ｍ＜８となるようなＮビットの移動量データとＭビットの倍率データで構成し通信するワイヤレスポインティングデバイスとしたものであり、これによって、（８−Ｎ−Ｍ）×２ビット分、１データの長さを短縮して通信することができ、電池寿命を延ばすことができるという効果を有する。
【０００９】
以下、本発明の一実施の形態について図１、図２及び（表１）を用いて説明する。
【００１０】
図１はワイヤレスポインティングデバイスの概略を示す構成図、図２は他のワイヤレス信号の概略構成を示す図であり、本実施の形態において、上記従来技術で説明した構成部分と同じ部分については、同じ符号を付して説明を省略する。
【００１１】
同図においてコンピュータ本体１はワイヤレスポインティングデバイス２から通信されるワイヤレス信号１３を受信する。
【００１２】
ワイヤレス信号１３は１ビットのスタートビット４、２ビットの方向ビット６、３ビットのスイッチビット８、２ビットの倍率を示す倍率データ１４と４ビットの移動量を示す移動量データ１５の６ビットで構成されるＸ方向の移動量データ１６及びＹ方向の移動量データ１７、１ビットのパリティービット１１、１ビットのストップビット１２で構成される。
【００１３】
従来の構成と比較すると、Ｘ方向の移動量データ９、及びＹ方向の移動量データ１０でそれぞれ２ビット計４ビットが短縮されているのに加え、２ビットのオーバーフロービット５については、オーバーフローが発生する場合、対応するＸ方向もしくはＹ方向の移動量データ１６，１７を最大値に設定する事によって省略している。
【００１４】
また１ビットの固定ビット７については変化しない値であるので省略されている。
【００１５】
これにより従来の構成と比較すると合計７ビット、１データの長さが短くなっているが、Ｘ方向の移動量データ１６、及びＹ方向の移動量データ１７が短くなっている４ビット分の効果を計算すると（（４ビット）／（従来の構成、全２７ビット））×１００＝約１５％の効果があることがわかる。
【００１６】
次に２ビットの倍率データ１４と４ビットの移動量データ１５で構成される６ビット構成にすることによる弊害について考察すると、移動量を示す桁数が４ビットであるために発生する桁落ちと、８ビットでは２５５まで表現できる最大の移動量が１２０までしか表現できないための影響の２点が考えられる。
【００１７】
桁落ちについて考察するまえに、移動量は切り上げで表示するので桁落ちにより移動量の誤差がマイナス方向で累積され、所定のデータ量を通信する場合に余分にデータを通信することはなく、すべてプラス方向の誤差であることを最初に述べておく。
【００１８】
まず桁落ちについて（表１）を用いて説明すると、移動量が０から１５までの範囲では桁落ちの誤差はない。
【００１９】
【表１】
0003713785.tif 000002
【００２０】
移動量１６から３１までの範囲では桁落ち誤差の絶対値は１であり、誤差比率の最大値は（１／１７）×１００＝約６％である。
【００２１】
同様に移動量３２から６３までの範囲では（３／３５）×１００＝約９％で、移動量６４から１２７までの範囲では（７／７１）×１００＝約１０％であり、桁落ちによる誤差比率は最大で１０％以下であり、影響は少ない。
【００２２】
またポインティングというターゲットの点あるいはポイントに移動量１単位で合わせこむという操作は、移動量が０から１５までの誤差がない範囲で行われると考えられる点からも影響はないといえる。
【００２３】
次に最大の移動量が１２０までしか表現できない点について考えると、たとえば表示装置ＣＲＴの分解能を約１０００×１０００として考えると上下方向、又は左右方向で端から端まで移動するためには、従来の構成の８ビットデータでは４回最大値を通信すれば良いのに対して、本発明では約９回最大値を通信しなければならないが、これを所用時間で考えると、従来の構成による４回の通信は３０ｍＳ間隔の場合９０ｍＳで完了するが、人間の操作、反応時間を考慮すると９０ｍＳの時間だけ人間が意識して操作するのは現実的には不可能であり、かつ、９０ｍＳで表示装置ＣＲＴ上の上下、または左右方向の端から端まで移動する速度はポインター（カーソル）を見失ってしまうだけである。
【００２４】
これに対して本発明の９回通信する時間は２４０ｍＳであり、通信を開始してから１００ｍＳ後に速度を人間が認識し、操作を停止に向けて反応し始め、操作を停止する遅れ時間を１５０ｍＳ程度と考えると適当な速度といえ、ポインター（カーソル）を見失う可能性も低くなる。
【００２５】
なお図２（Ａ）に示すようにＸ方向の移動量データ１８、及びＹ方向の移動量データ１９を３ビットの倍率を示す倍率データ２０と４ビットの移動量を示す移動量データ１５の７ビットで構成することによって最大の移動量が２４０まで表現できる。
【００２６】
また、図２（Ｂ）に示すようにＸ方向の移動量データ２１、及びＹ方向の移動量データ２２を２ビットの倍率を示す倍率データ１４と５ビットの移動量を示す移動量データ２３の７ビットで構成することによって、桁落ちによる誤差比率は約５％とすることができる。
【００２７】
【発明の効果】
以上のように本発明によれば、ワイヤレスポインティングデバイスの通信において、データの通信を多ビット長の１データで通信し、かつＸ方向の移動量データとＹ方向の移動量データをそれぞれＮ＋Ｍ＜８となるような、Ｎビットの移動量データとＭビットの倍率データで構成し通信することによって（８−Ｎ−Ｍ）×２ビット分、１データの長さを短縮して通信することができ、電池寿命を延ばすことができるという効果を有する。
【図面の簡単な説明】
【図１】本発明の一実施の形態によるワイヤレスポインティングデバイスの概略を示す構成図
【図２】本発明の他のワイヤレス信号の概略構成を示す図
【図３】従来のワイヤレスポインティングデバイスの概略を示す構成図
【符号の説明】
１  コンピュータ本体
２  ワイヤレスポインティングデバイス
４  スタートビット
６  方向ビット
８  スイッチビット
１１  パリティービット
１２  ストップビット
１３  ワイヤレス信号
１４，２０  倍率データ
１５，２３  移動量データ
１６，１８，２１  Ｘ方向の移動量データ
１７，１９，２２  Ｙ方向の移動量データ
【図１】
0003713785.tif 000003
【図２】
0003713785.tif 000004
【図３】
0003713785.tif 000005